【事件の表示】
　特願２００６−１５５８７４「ディスプレイ駆動装置及び方法」拒絶査定不服審判事件〔平成１８年１２月１４日出願公開、特開２００６−３３８０２８〕について、次のとおり審決する。
【結　論】
　本件審判の請求は、成り立たない。
【理　由】
１．手続の経緯
　特許出願：　平成１８年６月５日　
（パリ条約による優先権主張２００５年６月４日、韓国） 
　手続補正：　平成２４年２月２１日 
　拒絶査定：　平成２４年５月１０日（送達日：同年同月１５日） 
　拒絶査定不服審判の請求：　平成２４年９月１８日 
　手続補正：　平成２４年９月１８日 
　審尋：　　　平成２５年３月１９日（発送日：同年同月２６日）
　回答書：　　平成２５年６月２６日
　拒絶理由通知：　平成２５年１１月２９日（以下、「当審拒絶理由」という。発送日：同年１２月３日）
　手続補正：　平成２６年３月３日（以下、「本件補正」という。）
　意見書：　　平成２６年３月３日（以下、「本件意見書」という。）
　　
  　
２．本願発明
　本願の請求項１ないし３５に係る発明は、本件補正によって補正された明細書、特許請求の範囲及び図面の記載からみて、その特許請求の範囲の請求項１ないし３５に記載された事項により特定されるとおりのものであるところ、その請求項１に係る発明は次のとおりである。 
　　
「画像を表示するディスプレイ装置を駆動させるディスプレイ駆動装置において、
　画像データが入力される順序であるライン単位で、前記ディスプレイ装置に表示される画像データを圧縮変換して符号化する符号化部と、
　前記ライン単位で符号化されたデータを保存するメモリと、
　前記ライン単位で符号化されたデータを符号化された順に、前記メモリに保存させ、前記メモリに保存されたデータを読み込むメモリ制御部と、前記メモリ制御部が前記メモリから読み込んだデータを前記ディスプレイ装置に表示される画像データに前記ライン単位で復号化する復号化部と、を備え、
　前記符号化部は、前記画像データが入力される順序であるライン単位で前記画像データをＮ×１ブロック化し（Ｎは自然数）、Ｎ×１ブロック単位で符号化し、
　前記符号化部は、前記ディスプレイ装置に表示される画像データがメモリに保存可能な最大サイズに基づいて設定された所定のサイズ以下のデータに圧縮されるように、前記画像データを符号化することを特徴とするディスプレイ駆動装置。」（以下、「本願発明」という。）
　
　
３．当審拒絶理由
　これに対し、当審拒絶理由の概要は、本願の請求項１−４，９，２０−２３，２８，３７に係る発明は、その優先日前日本国内または外国において頒布された刊行物である特開２００３−３４８５８０号公報（発明の名称：画像信号の処理装置および処理方法、出願人：ソニー株式会社、公開日：平成１５年１２月５日、以下、「引用例」という。）に記載された発明であるから、特許法第２９条第１項第３号に該当し、特許を受けることができず、また、本願の請求項１−３７に係る発明は、上記引用例に記載された発明に基づいて、その優先日前にその発明の属する技術の分野における通常の知識を有する者が容易に発明をすることができたものであるから、特許法第２９条第２項の規定により特許を受けることができない、というものである。
　
　
４．引用例記載の事項・引用発明
（１）記載事項
　引用例には、次の事項（ａ）ないし（ｄ）が図面とともに記載されている。
　
（ａ）「【０００１】
【発明の属する技術分野】この発明は、例えばインタレース方式の画像信号をプログレッシブ方式の画像信号に変換する画像信号変換装置等に使用して好適な画像信号の処理装置および処理方法に関する。
【０００２】詳しくは、この発明は、１ラインまたは１ラインを複数個に分割してなる各分割部分が１ブロックとなるように入力画像信号をブロック化し、このブロック化された画像信号を、ブロック毎に独立した非線形量子化特性に基づいて圧縮符号化することによって、画像信号中の局所的な性質により適応的に圧縮符号化を行い、画質劣化を抑制するようにした画像信号処理装置等に係るものである。」
　
（ｂ）「【０００７】
【発明が解決しようとする課題】ところで、画像メモリ２０１に対して画像信号の書き込みや読み出しを行う際に、データ量が大きいとデータ転送クロックの周波数を高くしたり画像メモリ１０１のバンド幅を広げなければ、所望のタイミングで画像信号の書き込みや読み出しを行うことができなくなってしまう。
　・・・
【００１０】しかし、データ転送クロックの周波数を高くすると、耐ノイズ性や放射ノイズを考慮して正しくデータ伝送を行うことができるように基板等を設計することが、データ転送クロックの周波数の低い場合に比べて難しくなってしまう。また、画像メモリ２０１のバンド幅を大きくすると、端子数が増えて必要となる基板サイズも大きくなり、またコストアップにもつながる。
【００１１】このような不都合を回避するために、画像メモリ２０１に対して書き込み、読み出しを行う画像信号に圧縮符号化を施し、データ量を削減することが考えられる。
【００１２】この発明の目的は、画像信号中の局所的な性質により適応的に圧縮符号化を行い得るようにして画質劣化を抑制することにある。」
　
（ｃ）「【００２６】
【発明の実施の形態】以下、図面を参照しながら、この発明の実施の形態について説明する。図１は実施の形態としての画像信号変換装置１０の構成を示している。この画像信号変換装置１０は、インタレース走査方式のデジタル画像信号ＤＶiを、プログレッシブ走査方式のデジタル画像信号ＤＶpに変換するためのものである。
【００２７】この画像信号変換装置１０は、デジタル画像信号ＤＶi（１画素のデータは８ビットである）を入力するための入力端子１３と、画像メモリ１１と、この画像メモリ１１より読み出されるデジタル画像信号ＤＶpを出力する出力端子１４とを有している。
【００２８】また、画像信号変換装置１０は、入力端子１３に入力される画像信号ＤＶiに対して圧縮符号化を行って圧縮画像信号ＤＷiを生成する符号化器２０を有している。この符号化器２０で生成された圧縮画像信号ＤＷiは画像メモリ１１に供給されて書き込まれる。
【００２９】また、画像信号変換装置１０は、画像メモリ１１より読み出される１フィールド前の圧縮画像信号ＤＷi-fに対して伸長復号化処理を行って画像信号ＤＶi-fを生成する復号化器３０と、入力端子１３に入力される画像信号ＤＶiおよび符号化器３０で伸長復号化されて得られる１フィールド前の画像信号ＤＶi-fを用いて、プログレッシブ走査方式の画像信号ＤＶqを生成するＩＰ変換器１２とを有している。このＩＰ変換器１２で生成された画像信号ＤＶqは画像メモリ１１に供給されて書き込まれる。」
　
（ｄ）「【００３４】ブロック化処理部２１は、１ラインを複数個に分割してなる各分割部分が１ブロックとなるように、画像信号ＤＶiをブロック化する。この場合、各ブロックに含まれる画素数が等しくなるように、例えば１ブロックの画素数が１ライン内の画素数の約数となるように分割を行う。なお、１ラインを１ブロックとすることも考えられる。」
　
　また、引用例に記載のものは、プログレッシブ方式の画像信号を出力しているから、画像を表示するディスプレイ装置を駆動させるディスプレイ駆動装置を構成するものであることは明らかであるし、画像メモリ１１への圧縮画像信号の書き込み及び読み出しを制御する、何らかのメモリ制御部を有することも当然である。
  　
（２）引用発明　
　上記の技術事項を踏まえ、前記記載（ａ）ないし（ｄ）、及び図１，２の内容を総合勘案すると、引用例には、次の発明が記載されているものと認められる。
　
「画像を表示するディスプレイ装置を駆動させるディスプレイ駆動装置において、
　ライン単位で、前記ディスプレイ装置に表示される画像データ（インタレース方式の画像信号ＤＶｉ）を圧縮変換して符号化する符号化部（符号化器２０）と、
　前記符号化されたデータを保存するメモリ（画像メモリ１１）と、
　前記符号化されたデータを前記メモリに保存させ、前記メモリに保存されたデータを読み込むメモリ制御部と、前記メモリ制御部が前記メモリから読み込んだデータを前記ディスプレイ装置に表示される画像データ（画像信号ＤＶｉ−ｆ）に復号化する復号化部（復号化器３０）と、を備え、
　前記符号化部は、前記画像データが入力される順序であるライン単位で前記画像データをＮ×１ブロック化（１ラインを複数個に分割してなる各分割部分が１ブロックとなるように、画像信号ＤＶiをブロック化）し（Ｎは自然数）、Ｎ×１ブロック単位で符号化することを特徴とするディスプレイ駆動装置。」（以下、「引用発明」という。）
　
　
５．対比
　本願発明と引用発明とを対比する。
　まず、引用発明の「画像を表示するディスプレイ装置を駆動させるディスプレイ駆動装置」は、本願発明の「画像を表示するディスプレイ装置を駆動させるディスプレイ駆動装置」に相当する。また、引用発明においては、順次入力されるデジタル画像信号ＤＶiをライン単位で符号化し、順次画像メモリへ書き込むものである（そうでなければ、入力されるデジタル画像信号ＤＶiの少なくとも一部は失われることとなってしまう）から、画像データが入力される順序であるライン単位で画像データを符号化し、符号化された順にデータをメモリ（画像メモリ１１）に保存させていることは明らかである。したがって、引用発明の「ライン単位で、前記ディスプレイ装置に表示される画像データ（インタレース方式の画像信号ＤＶｉ）を圧縮変換して符号化する符号化部（符号化器２０）」は、本願発明の「画像データが入力される順序であるライン単位で、前記ディスプレイ装置に表示される画像データを圧縮変換して符号化する符号化部」に相当し、また同様に、引用発明の「符号化されたデータを前記メモリに保存させ、前記メモリに保存されたデータを読み込むメモリ制御部」は、本願発明の「ライン単位で符号化されたデータを符号化された順に、前記メモリに保存させ、前記メモリに保存されたデータを読み込むメモリ制御部」に相当する。
　次に、引用発明の「符号化されたデータを保存するメモリ（画像メモリ１１）」は、本願発明の「ライン単位で符号化されたデータを保存するメモリ」に相当し、引用発明の「メモリ制御部が前記メモリから読み込んだデータを前記ディスプレイ装置に表示される画像データ（画像信号ＤＶｉ−ｆ）に復号化する復号化部（復号化器３０）」は、本願発明の「メモリ制御部が前記メモリから読み込んだデータを前記ディスプレイ装置に表示される画像データに前記ライン単位で復号化する復号化部」に相当し、引用発明の「符号化部は、前記画像データが入力される順序であるライン単位で前記画像データをＮ×１ブロック化（１ラインを複数個に分割してなる各分割部分が１ブロックとなるように、画像信号ＤＶiをブロック化）し（Ｎは自然数）、Ｎ×１ブロック単位で符号化する」点は、本願発明の「符号化部は、前記画像データが入力される順序であるライン単位で前記画像データをＮ×１ブロック化し（Ｎは自然数）、Ｎ×１ブロック単位で符号化」する点に相当する。
　してみると、本願発明と引用発明との一致点と、一応の相違点は、以下のとおりである。
　
（一致点）
「画像を表示するディスプレイ装置を駆動させるディスプレイ駆動装置において、
　画像データが入力される順序であるライン単位で、前記ディスプレイ装置に表示される画像データを圧縮変換して符号化する符号化部と、
　前記ライン単位で符号化されたデータを保存するメモリと、
　前記ライン単位で符号化されたデータを符号化された順に、前記メモリに保存させ、前記メモリに保存されたデータを読み込むメモリ制御部と、前記メモリ制御部が前記メモリから読み込んだデータを前記ディスプレイ装置に表示される画像データに前記ライン単位で復号化する復号化部と、を備え、
　前記符号化部は、前記画像データが入力される順序であるライン単位で前記画像データをＮ×１ブロック化し（Ｎは自然数）、Ｎ×１ブロック単位で符号化することを特徴とするディスプレイ駆動装置。」　
　
（一応の相違点）
　本願発明では、「前記符号化部は、前記ディスプレイ装置に表示される画像データがメモリに保存可能な最大サイズに基づいて設定された所定のサイズ以下のデータに圧縮されるように、前記画像データを符号化する」としているのに対し、引用発明ではこの点が明示されていない点。
　　
　
６．判断
　上記一応の相違点について検討する。
　引用発明においては、符号化部によって圧縮変換して符号化された画像データが、現にメモリ（画像メモリ１１）に保存されているのであるから、当然に、その符号化後のデータのサイズが上記メモリに保存可能な最大サイズ以下となるように圧縮率の設定が行われているものであることは明らかである。すなわち、引用発明においても、符号化部は、ディスプレイ装置に表示される画像データが上記メモリに保存可能な最大サイズに基づいて設定された所定のサイズ以下のデータに圧縮されるように、前記画像データを符号化するものであるといえる。　
　してみると、上記一応の相違点は、実質的な相違点ではない。
　
　したがって、本願発明は、引用例に記載された発明である。また、本願発明は、引用発明に基づいて当業者が容易に発明し得たものともいえる。
　
　
７．請求人の主張について
　審判請求人は、本件意見書において、概略、以下のように主張しているので、検討する。
　
（１）請求人の主張の概要
ア　本願発明は、メモリに保存可能な最大サイズに基づいて設定された所定のサイズ以下のデータになるように、画像データをライン単位で符号化処理を行い、これをメモリに順序通り保存することによって、例えば、画像のピクセル単位で符号化して保存する時よりメモリに保存される画像データのサイズを減少させることができ、画像データを表示するまでの過程における符号化/復号化の実時間性を保障できる。
　
イ　本願発明は、入力された画像データを符号化及び復号化しているが、引用発明のようにライン単位のブロック化処理を行って画像信号の変換（インタレース方式→プログレッシブ方式）を行ってはいない。
　　
ウ　本願発明においては、符号化部が画像データを符号化する場合、画像データの容量がどれほど大きいか（あるいはどれほど小さいか）を問わず、その画像データを所定サイズ以下の画像データに圧縮してメモリに保存することができる。
　
　
（２）検討
ア　上記アについて
　上記「６．判断」に示したように、引用発明においても、符号化部は、ディスプレイ装置に表示される画像データがメモリ（画像メモリ１１）に保存可能な最大サイズに基づいて設定された所定のサイズ以下のデータに圧縮されるように、前記画像データを符号化するものである。
　すなわち、引用発明は本願発明との間に実質的な相違点を有しないのであるから、上記アで主張されている本願発明の効果は、引用発明も当然に奏する効果である。
　
イ　上記イについて
　本願請求項１には画像信号の変換を行わない旨の記載は無く、このことは、自明でもない。請求人の主張は請求項１の記載に基づかないものである。
　　
ウ　上記ウについて
　上記ウで主張している、画像データの容量がどれほど大きいか（あるいはどれほど小さいか）を問わず、その画像データを所定サイズ以下の画像データに圧縮・保存できる構成とは、画像データの容量に応じて圧縮率を変更する構成のことを指すものと認められる。しかしながら、そのような構成は、例えば、請求項４ないし６には「サイズ調整部」として特定されているものの、請求項１には特定されておらず、このことは、自明でもない。請求人の主張は請求項１の記載に基づかないものである。
  　
　
８．むすび
　以上のとおり、本願発明は、引用例に記載された発明であるから、特許法第２９条第１項第３号の規定により特許を受けることができない。また、本願発明は、引用例に記載された発明に基づいて当業者が容易に発明をすることができたものであるから、特許法第２９条第２項の規定により特許を受けることができない。
　したがって、他の請求項に係る発明について審理するまでもなく、本願は当審拒絶理由によって拒絶すべきものである。
　よって、結論のとおり審決する。